(57)【特許請求の範囲】
【請求項１】
テキスト情報に基づく音声合成処理を実行可能な音声合成装置であって、
前記音声合成処理は、
テキスト情報をアクセント句に分割すると共に、各アクセント句内のモーラにアクセント位置が設定された音声パラメータを取得する解析処理と、
テキスト情報をモーラ単位で分割し、拍子情報にて規定される拍子タイミングに基づいて時間軸に割り付ける割り付け処理と、
前記割り付け処理の結果に基づき、前記解析処理で設定されたアクセント句のアクセント位置が、拍子情報で規定される所定の拍位置に対応するモーラの位置となるように、前記解析処理で取得した音声パラメータを変更する変更処理と、
前記変更処理で変更された音声パラメータに基づいて、音声波形を合成する音声波形合成処理と、を実行する
音声合成装置。
【請求項２】
前記割り付け処理は、拍子情報にて規定される拍タイミングに基づいてモーラを時間軸に割り付ける
請求項１に記載の音声合成装置。
【請求項３】
前記変更処理は、前記解析処理にて決定されたモーラの子音部分の音長を変更せずに、モーラの母音部分の音長を調整する
請求項２に記載の音声合成装置。
【請求項４】
前記変更処理は、モーラの母音部分が拍子情報にて規定される拍タイミングと重なるように配置する
請求項２に記載の音声合成装置。
【請求項５】
前記変更処理は、前記解析処理で設定されたアクセント句の先頭に位置するモーラが、拍子情報にて規定される強拍のタイミング位置に重なるように配置する
請求項１から請求項４の何れか１項に記載の音声合成装置。
【請求項６】
楽曲情報に基づく楽曲再生処理と、テキスト情報に基づく音声合成処理とを実行可能な、楽曲再生装置であって、
前記音声合成処理は、
テキスト情報をアクセント句に分割すると共に、各アクセント句内のモーラにアクセント位置が設定された音声パラメータを取得する解析処理と、
テキスト情報をモーラ単位で分割し、拍子情報にて規定される拍子タイミングに基づいて時間軸に割り付ける割り付け処理と、
前記割り付け処理の結果に基づき、前記解析処理で設定されたアクセント句のアクセント位置が、拍子情報で規定される所定の拍位置に対応するモーラの位置となるように、前記解析処理で取得した音声パラメータを変更する変更処理と、
前記変更処理で変更された音声パラメータに基づいて、音声波形を合成する音声波形合成処理と、を実行する
楽曲再生装置。
【請求項７】
テキスト情報に基づく音声合成処理を情報処理装置に実行させる音声合成プログラムであって、
前記音声合成処理は、
テキスト情報をアクセント句に分割すると共に、各アクセント句内のモーラにアクセント位置が設定された音声パラメータを取得する解析処理と、
テキスト情報をモーラ単位で分割し、拍子情報にて規定される拍子タイミングに基づいて時間軸に割り付ける割り付け処理と、
前記割り付け処理の結果に基づき、前記解析処理で設定されたアクセント句のアクセント位置を、拍子情報で規定される所定の拍位置に対応するモーラの位置となるように、前記解析処理で取得した音声パラメータを変更する変更処理と、
前記変更処理で変更された音声パラメータに基づいて、音声波形を合成する音声波形合成処理と、を実行する
音声合成プログラム。
【発明の詳細な説明】
【技術分野】
【０００１】
本発明は、入力情報に基づいて音声合成を行う音声合成装置、並びに、楽曲再生と音声合成を行う楽曲再生装置に関する。また、各種情報処理装置において音声合成処理を実行させるための音声合成プログラム、並びに、楽曲再生処理と音声合成処理を実行させるための楽曲再生プログラムに関する。
【背景技術】
【０００２】
従来、テキスト情報等を入力して、音声を合成する音声合成装置が知られている。このような音声合成装置では、人が話すのと同様に、自然な話し声を実現することが求められており、そのための各種開発が行われている。近年、音声合成はこのような話し声のみならず、歌唱音声にも使用され、自然な歌唱を実現するための開発も進められている。さらに特許文献１では、楽曲等のリズムに合わせて、アクセントを有する英単語等の語と、当該語に対応する日本語訳等の語とを、学習者が確実に効率よく記憶することができる音声情報を形成することが開示されている。
【０００３】
ところで、特許文献１に開示される楽曲等のリズムに合わせて発音する音声合成を、特許文献１のような学習のみならず、フィットネス等、各種運動におけるインストラクションに使用することが考えられる。このようなインストラクションは、予め音楽に同期して録音したものを用いることも可能であるが、音声合成を使用することで、従来、インストラクターが行っていたのと同様、ユーザの運動状況に応じた適切なインストラクションを伝えることも可能となる。
【０００４】
現在、ゲーム機等では、各種フィットネスのソフトウェアが提供されている。このようなソフトウェアでは、カメラで撮像したユーザの状況に応じたインストラクションを音声で伝えることが行われている。また、スマートフォンでは、ＧＰＳ等の各種センサを使用して取得した、ユーザのランニング状況（速度や脈拍）に応じて、インストラクションを音声で伝えることも行われている。
【先行技術文献】
【特許文献】
【０００５】
【特許文献１】特開２０１１−１３２９５号公報
【発明の概要】
【発明が解決しようとする課題】
【０００６】
このようなフィットネスあるいはランニング等、各種運動は、音楽を聴取しながら行われることがある。このような場合、前述したインストラクションを音声で出力する際、インストラクションの内容を伝えるのと同様、音楽の流れや音楽のテンポ感を失わせないことが重要である。音楽のテンポに合わせて、音声合成の長さを合わせる形態も考えられるが、そのような形態では不自然な発音になってしまう場合がある。また、特許文献１に開示される学習用を目的とした音声合成についても、楽曲のリズムにさらに即して音声合成を行うことが求められている。
【０００７】
本発明は、このような課題を解消することを目的とするものであり、楽曲のリズムにあった自然な音声合成を可能とする音声合成装置、並びに、音声合成と楽曲の再生を同時に行う楽曲再生装置、そして、そのためのプログラムを提供することを目的とするものである。
【課題を解決するための手段】
【０００８】
上述する課題を解決するため、本発明は以下の構成を採用する。
テキスト情報に基づく音声合成処理を実行可能な音声合成装置であって、
前記音声合成処理は、
テキスト情報をアクセント句に分割すると共に、各アクセント句内のモーラにアクセント位置が設定された音声パラメータを取得する解析処理と、
テキスト情報をモーラ単位で分割し、拍子情報にて規定される拍子タイミングに基づいて時間軸に割り付ける割り付け処理と、
前記割り付け処理の結果に基づき、前記解析処理で設定されたアクセント句のアクセント位置が、拍子情報で規定される所定の拍位置に対応するモーラの位置となるように、前記解析処理で取得した音声パラメータを変更する変更処理と、
前記変更処理で変更された音声パラメータに基づいて、音声波形を合成する音声波形合成処理と、を実行する。
【０００９】
さらに本発明に係る音声合成装置において、
前記割り付け処理は、拍子情報にて規定される拍タイミングに基づいてモーラを時間軸に割り付ける。
【００１０】
さらに本発明に係る音声合成装置において、
前記変更処理は、解析処理にて決定されたモーラの子音部分の音長を変更せずに、モーラの母音部分の音長を調整する。
【００１１】
さらに本発明に係る音声合成装置において、
前記変更処理は、モーラの母音部分が拍子情報にて規定される拍タイミングと重なるように配置する。
【００１２】
さらに本発明に係る音声合成装置において、
前記変更処理は、前記解析処理で設定されたアクセント句の先頭に位置するモーラが、拍子情報にて規定される強拍のタイミング位置に重なるように配置する。
【００１３】
また本発明に係る楽曲再生装置は、
楽曲情報に基づく楽曲再生処理と、テキスト情報に基づく音声合成処理とを実行可能な、楽曲再生装置であって、
前記音声合成処理は、
テキスト情報をアクセント句に分割すると共に、各アクセント句内のモーラにアクセント位置が設定された音声パラメータを取得する解析処理と、
テキスト情報をモーラ単位で分割し、拍子情報にて規定される拍子タイミングに基づいて時間軸に割り付ける割り付け処理と、
前記割り付け処理の結果に基づき、前記解析処理で設定されたアクセント句のアクセント位置が、拍子情報で規定される所定の拍位置に対応するモーラの位置となるように、前記解析処理で取得した音声パラメータを変更する変更処理と、
前記変更処理で変更された音声パラメータに基づいて、音声波形を合成する音声波形合成処理と、を実行する。
【００１４】
また本発明に係る音声合成プログラムは、
テキスト情報に基づく音声合成処理を情報処理装置に実行させる音声合成プログラムであって、
前記音声合成処理は、
テキスト情報をアクセント句に分割すると共に、各アクセント句内のモーラにアクセント位置が設定された音声パラメータを取得する解析処理と、
テキスト情報をモーラ単位で分割し、拍子情報にて規定される拍子タイミングに基づいて時間軸に割り付ける割り付け処理と、
前記割り付け処理の結果に基づき、前記解析処理で設定されたアクセント句のアクセント位置を、拍子情報で規定される所定の拍位置に対応するモーラの位置となるように、前記解析処理で取得した音声パラメータを変更する変更処理と、
前記変更処理で変更された音声パラメータに基づいて、音声波形を合成する音声波形合成処理と、を実行する。
【発明の効果】
【００１５】
本発明に係る音声合成装置、楽曲再生装置、音声合成プログラム、楽曲再生プログラムによれば、形態素解析処理で設定されたアクセント句のアクセント位置を、前記拍分割処理で分割された先頭のモーラ位置に変更することで、楽曲の再生等の拍子リズムにあった音声合成を行うことが可能である。
【図面の簡単な説明】
【００１６】
【図１】本発明の実施形態に係る情報処理装置の構成を示すブロック図
【図２】本発明の実施形態に係る拍子情報の構成を説明するための模式図
【図３】本発明の実施形態に係る音声合成処理を示すフロー図
【図４】本発明の実施形態に係る調整処理を示すフロー図
【図５】本発明の実施形態に係る音声合成処理例を模式的に示した図
【図６】本発明の実施形態に係る音素情報の割り付け形態を示す模式図
【図７】本発明の他の実施形態に係る音素情報の割り付け形態を示す模式図
【図８】本発明の他の実施形態に係る音声合成処理例を模式的に示した図
【図９】本発明の他の実施形態に係る音声合成処理例を模式的に示した図
【図１０】本発明の他の実施形態に係る音声合成処理例を模式的に示した図
【発明を実施するための形態】
【００１７】
図１は、本発明の実施形態に係る情報処理装置１の構成を示すブロック図である。情報処理装置１としては、パーソナルコンピュータ、スマートフォンやタブレット端末、各種楽曲再生装置等の携帯情報端末等、各種形態が考えられる。本実施形態の情報処理装置１は、楽曲情報に基づく演奏処理Ｓ１と、テキスト情報に基づく音声合成処理Ｓ２を実行可能としている。本発明に係る情報処理装置１は、このような形態の他、外部の装置から入力された強拍タイミングに関する情報に基づいて音声合成処理Ｓ２のみを行う形態としてもよい。
【００１８】
本実施形態の情報処理装置１は、制御部１０、記憶部１３を備えて構成されている。制御部１０は、ＣＰＵ、ＲＯＭ、ＲＡＭ等を有して構成され、演奏処理Ｓ１と音声合成処理Ｓ２を実行可能としている。記憶部１３は、音声合成処理Ｓ２に必要な形態素解析辞書１３ａ、音素情報１３ｂを記憶している。制御部１０は、入力される楽曲情報に基づいて演奏音を出力する演奏処理Ｓ１と、入力されるテキスト情報に基づいて音声波形を合成する音声合成処理Ｓ２を実行可能としている。制御部１０から出力される演奏音と音声波形はミキシング部１４で合成され、スピーカ１５から放音される。
【００１９】
演奏処理Ｓ１に使用する楽曲情報、音声合成処理Ｓ２に使用するテキスト情報は、記憶部１３に記憶されるものであっても、外部の記憶媒体、あるいは、インターネット等の通信を介して取得するものであってもよい。
【００２０】
制御部１０にて実行される演奏処理Ｓ１では、楽曲情報の演奏に同期して、音声合成処理Ｓ２側に拍子情報を出力する。図２は、本発明の実施形態に係る拍子情報を模式的に示した図である。拍子情報は、所定数の拍のまとまりからなる拍子で構成される。図２の例
は、３拍子の拍子情報の例となっており、各拍子Ｍは、３つの拍間隔で分割されており、拍間隔ｎの端部位置でのタイミングが、拍を規定するタイミングとなる。本実施形態の拍子情報では、拍子Ｍ内の複数の拍中、先頭に位置する拍タイミングＴ（丸で囲まれた位置）が強拍タイミングとして規定されている。図２の拍子情報の例では、１つの拍子中を、３つの拍間隔ｎで分割した３拍子の例となっているが、拍子情報は、楽曲情報の演奏形態に応じた適宜拍子が設定される。また、強拍タイミングは、拍子の先頭位置に限ること無く、適宜位置に設定することが可能である。
【００２１】
制御部１０にて実行される音声合成処理Ｓ２は、テキスト情報を音声合成処理Ｓ２に必要な音声パラメータに変換する形態素解析処理、及び音声合成前処理を行う、解析処理Ｓ１０、音声パラメータに基づいて音声波形を合成する音声波形合成処理Ｓ１２を実行する。特に、本実施形態では、拍子情報の強拍タイミングに同期した音声合成を実現するため、形態素解析処理、及び音声合成処理を行う、解析処理Ｓ１０で発生した音声パラメータを調整する調整処理Ｓ２０を行うこととしている。
【００２２】
では、本実施形態の情報処理装置１にて実行される音声合成処理Ｓ２について、その詳細を説明する。本実施形態の音声合成処理Ｓ２は、入力されるテキスト情報に基づいて実行される処理であり、処理結果として音声波形が合成出力される。入力されたテキスト情報は、形態素解析処理と音声合成前処理を含む解析処理（Ｓ１０）が施され、音声合成波形に必要な各種情報（音声パラメータ）が取得される（Ｓ１１）。形態素解析処理は、形態素解析辞書１３ａを使用して行われる処理であり、テキスト情報をアクセント句に分割すると共に、各アクセント句にアクセント位置を設置する処理である。また、音声合成前処理は、形態素解析処理により生成されたモーラ、アクセント型等、各種情報に基づいて、音素情報１３ｂの音長（時間長）等、音声波形合成処理Ｓ１２に使用する音声パラメータを取得する処理である。図５には、本実施形態の音声合成処理Ｓ２の様子が示されている。図５（Ａ）には、テキスト情報の例文が示されている。
【００２３】
図５（Ｂ）は、図５（Ａ）のテキスト情報に対して、形態素解析処理を施した結果である。本実施形態では、入力されたテキスト情報を、形態素解析辞書１３ａを参照して、アクセント句Ａ１〜Ａ３に分割している。また、アクセント句は、音韻の単位となるモーラにて構成されている。図５（Ｂ）中、四角で囲まれたカタカナ部分が１つのモーラに相当する。本実施形態では、各モーラを音声波形に変換するため、さらにカタカナ部分を音素情報の単位に分割している、例えば、先頭に位置するアクセント句Ａ１は、「キョ」、「ー」、「ワ」のモーラで構成されており、各モーラ中「キョ」は「ｋｙ」と「ｏ」、「ー」は「ｏ」、「ワ」は、「ｗ」と「ａ」という具合に子音と母音（あるいは母音のみ）毎の音素情報の単位で分割されている。
【００２４】
さらに、形態素解析処理では、各アクセント句Ａ１〜Ａ３に対して、アクセント位置を設定している。アクセント位置は、アクセント句Ａ１〜Ａ３中のモーラに対して設定される情報であり、音声波形合成処理Ｓ１２を行う際は、当該モーラにアクセント（音高、または、音量の少なくとも一方を調整）を付与することで、聴取上、自然な音声を実現している。図５の例文では、全てのアクセント句Ａ１〜Ａ３がアクセント位置を有しているが、アクセント位置の無いアクセント句も存在する。
【００２５】
通常、形態素解析処理と音声合成前処理とを含む解析処理Ｓ１０にて得られた音声パラメータに基づいて、音素情報等、音声合成波形を形成するための各種情報（音源情報）を読み出して、出力することで音声合成が実行可能である。本実施形態では、演奏処理に伴って取得した拍子情報に同期して音声波形合成処理を実行するため、図５（Ｂ）のような形態素解析処理と音声合成前処理とを含む解析処理Ｓ１０が完了した情報に対して調整処理Ｓ２０を行うこととしている。具体的には、調整処理Ｓ２０は、拍子情報で規定される
モーラ数毎に分割して時間軸上に割り付ける割り付け処理と、アクセント句のアクセント位置を、強拍タイミング等、拍子情報で規定される所定タイミングのモーラの位置となるように、解析処理Ｓ１０で取得した音声パラメータを変更する変更処理とを実行する。
【００２６】
図４は、本発明の実施形態に係る調整処理が示されている。本実施形態では、入力されたテキスト情報のモーラ数を算出し（Ｓ２１）、拍子情報に含まれる割り付け対象となる拍子数に基づいて、１つの拍子に割り付けるモーラ数を算出している（Ｓ２２）。図５（Ｃ）には、図５（Ａ）のテキスト情報を拍子情報に基づいて時間軸上に割り付けた例が示されている。この例では、例文（１０モーラ）を４つの拍子に割り付けた例であって、各拍子には３つ（最後の拍子は１つ）のモーラ数が割り当てられている。通常、このように１つの拍に対して１つのモーラを割り付けることが、聴感上、音声合成を拍子リズムに合わせる上で好ましい。
【００２７】
各モーラの時間軸上への割り付けが決定されると、１モーラの音長に基づき、音声合成を行う基本単位となる音素情報の音長が決定される（Ｓ２３）。図６は、本発明の実施形態に係る音素情報の時間軸上への割り付け形態を示す模式図が示されている。図６（Ａ）は、アクセント句Ａ１（「キョーワ」）について形態素解析処理と音声合成前処理とによる解析処理Ｓ１０での処理結果を示したものである。この処理結果では、モーラと音素情報の対応関係が示されている。各モーラには、母音と子音、あるいは、母音のみからなる音素情報が割り当てられている。また、音声合成前処理では、各音素情報に対して音長が割り当てられる。図６中、音素情報の横方向は音長の長さに相当している。図６（Ｂ）は、図６（Ａ）の形態素解析結果を、拍子情報に基づき時間軸上に割り付けた結果である。本実施形態では、１つのモーラを１拍に付けている。また、本実施形態では、各モーラの音素情報を時間軸上に割り付ける際、子音の音素情報の音長は変更せずに、母音の音情報の音長を調整することで、聴覚上、自然な音声合成を実現している。
【００２８】
図７には、本発明の他の実施形態に係る音素情報の割り付け形態が示されている。図６の実施形態では、各モーラの音素情報の先頭位置を拍のタイミングに位置させていたが、本実施形態では、各モーラ中、母音の音素情報の先頭位置を拍のタイミングに位置させている。本実施形態も図６の実施形態と同様、子音の音素情報の音長は、音声合成前処理時のものを使用し、母音の音素情報の音長を調整している。
【００２９】
拍子情報に基づいて時間軸上に割り当てられたモーラに対して、アクセント位置の変更が行われる（Ｓ２４）。図５（Ｄ）には、例文について、時間軸上に割り当てられたモーラについて、アクセント位置変更の様子が示されている。本実施形態では、複数の拍のタイミング中、拍子情報で定義される強拍のタイミング位置に対応するモーラにアクセント位置を変更している。図５の例では、図５（Ｂ）の各アクセント句のアクセント型が、アクセント句Ａ１〜Ａ３、全て１モーラ目に位置する１型である。これらアクセント句Ａ１〜Ａ３のアクセント位置を強拍のタイミング位置に変更することで、図５（Ｄ）に示すように、アクセント句Ａ１、Ａ２は、１モーラ目に位置する１型で維持され、アクセント句Ａ３は、アクセント位置が２モーラ目に位置する２型に変更している。本実施形態では、複数の強拍のタイミング位置（Ｔ３、Ｔ４）が対応する場合、１番目に位置する強拍のタイミング位置Ｔ３を使用するルールを適用しているが、ｎ番目に位置する強拍のタイミング位置を使用するルールを適用してもよい。
【００３０】
このように本実施形態では、音声合成の対象となるテキスト情報を、拍子情報に基づいて規定されるモーラ数（図５の場合：３）毎に分割する分割処理と、分割処理で分割されたテキスト情報の所定位置のモーラに変更する変更処理を行うことで、演奏に伴って実行される音声合成を、聴覚上、演奏の拍子リズムに適合させることを可能としている。
【００３１】
以上、本発明の実施形態について説明を行ったが、本発明における分割処理、変更処理は各種形態を採用することが可能である。図８には、本発明の他の実施形態に係る音声合成処理例を模式的に示した図が示されている。本実施形態は、図５と同じ例文を使用したものであり、入力されるテキスト情報、形態素解析結果は、図５（Ａ）、図５（Ｂ）に示したとおりであり、拍子情報に基づく時間軸上への割り付けにおいて異なっている。具体的には、本実施形態では、アクセント句の先頭位置を、強拍のタイミングに位置させて配置している。
【００３２】
したがって、図８（Ｃ）に示されるように、各アクセント句Ａ１、Ａ２、Ａ３の発声開始位置は、それぞれタイミングＴ１、Ｔ２、Ｔ３に位置している。なお、アクセント句Ａ２とアクセント句Ａ３の間は、無音区間として設定される。さらに図８（Ｄ）に示されるように、各アクセント句Ａ１〜Ａ３のアクセント位置は、強拍のタイミングの位置に変更されることになるが、本例文では、形態素解析結果と同様、何れも１番目のモーラ位置がアクセント位置となり、結果的にアクセント位置の変更は生じていない。
【００３３】
図９には、本発明の他の実施形態に係る音声合成処理例を模式的に示した図が示されている。図９（Ｂ）には、図９（Ａ）に示されるテキスト情報を形態素解析した結果が示されている。本例文では、テキスト情報は、３つのアクセント句Ａ１〜Ａ３に分割され、各アクセント句にはアクセント型が設定される。アクセント句Ａ１はアクセント位置が１モーラ目に位置する１型、アクセント句Ａ２はアクセント位置の無い０型、アクセント句Ａ３はアクセント位置が３モーラ目に位置する３型である。前述の実施形態と同様、図９（Ｃ）に示すように拍子情報に基づいて時間軸への割り付けを行うとともに、アクセント型の変更が行われる。
【００３４】
本実施形態において、アクセント句Ａ１のアクセント型は変更無し、アクセント句Ａ２のアクセント型は０型から１型へ変更、アクセント句Ａ３のアクセント型は３型から１型へ変更している。特に、形態素解析結果において、アクセント位置の無かったアクセント句Ａ２に対してもアクセント位置を設定することで、演奏処理と同時に実行される音声合成処理において、拍子リズムへの適合を聴覚上、より自然なものとしている。
【００３５】
前述した実施形態は、何れもアクセント句の先頭に位置するモーラを、強拍のタイミングに重ねて位置させることとしているが、拍子情報への割り付けは他の形態を採用することも可能である。図１０は、本発明の他の実施形態に係る音声合成処理例を模式的に示した図である。前述の実施形態と同様、図１０（Ａ）には入力されるテキスト情報の例文が示されている。図１０（Ｂ）は、例文を形態素解析した結果であり、図１０（Ｃ）は、拍子情報に基づいて各モーラを時間軸上への割り付けた結果である。本実施形態の拍子情報は４拍子であり、各拍に対して１つのモーラが割り付けられる。
【００３６】
前述の実施形態が、アクセント句の先頭に位置するモーラを、強拍のタイミングに重ねて位置させていたのに対し、本実施形態では、アクセント句Ａ１中、３番目に位置するモーラの発声開始位置を、強拍のアクセントタイミングＴ２に合わせて配置することとしている。このような形態においても、演奏処理と同時に実行される音声合成処理において、拍子リズムへの適合を、聴覚上、自然なものとすることが可能となる。
【００３７】
なお、本発明はこれらの実施形態のみに限られるものではなく、それぞれの実施形態の構成を適宜組み合わせて構成した実施形態も本発明の範疇となるものである。
【符号の説明】
【００３８】
１…情報処理装置                    Ｓ１２…音声波形合成処理
１０…制御部                        １３…記憶部
Ｓ１…演奏処理                      １３ａ…形態素解析辞書
Ｓ２…音声合成処理                  １３ｂ…音素情報
Ｓ１０…解析処理              １４…ミキシング部
Ｓ２０…調整処理                    １５…スピーカ
【図１】
0005950120.tif 000002
【図２】
0005950120.tif 000003
【図３】
0005950120.tif 000004
【図４】
0005950120.tif 000005
【図５】
0005950120.tif 000006
【図６】
0005950120.tif 000007
【図７】
0005950120.tif 000008
【図８】
0005950120.tif 000009
【図９】
0005950120.tif 000010
【図１０】
0005950120.tif 000011